(57)【要約】      （修正有）【課題】被包装物が、太部とこれに連続する細部とがある形状を有するものであるときに、破れやシワ付きなどを生じさせないようにし、熱収縮したシュリンクフィルムで保持された被包装物の展示形態での外観を損なわないシュリンクフィルム筒体付き台紙を得る。【解決手段】台紙本体２における被包装物配置予定面６の太部配置部７と細部配置部９とのそれぞれに、筒体径方向での熱収縮により被包装物配置予定面６に配置される被包装物を保持可能なシュリンクフィルム筒体３、４を取り付けていて、太部配置部７のシュリンクフィルム筒体３と細部配置部９のシュリンクフィルム筒体４とは、互いに筒体径方向の寸法が相違していて、太部配置部７のシュリンクフィルム筒体３の筒体径方向の寸法を、細部配置部９のシュリンクフィルム筒体４の筒体径方向の寸法より大にした。【選択図】図１
2018002271.tif 000002
【特許請求の範囲】
【請求項１】
台紙本体の片面に、太部と細部とが連続する被包装物の外形状に対応した一つの被包装物配置予定面を備えていて、前記被包装物配置予定面は、被包装物の太部に対応する太部配置部と被包装物の細部に対応する細部配置部とを有し、
前記被包装物配置予定面の太部配置部と細部配置部とのそれぞれに、筒体径方向での熱収縮により被包装物配置予定面に配置される被包装物を保持可能なシュリンクフィルム筒体が取り付けられていて、
前記太部配置部に位置するシュリンクフィルム筒体と前記細部配置部に位置するシュリンクフィルム筒体とは、互いにシュリンクフィルム筒体での筒体径方向の寸法が相違していて、太部配置部に位置するシュリンクフィルム筒体の筒体径方向の寸法が、細部配置部に位置するシュリンクフィルム筒体の筒体径方向の寸法より大とされていることを特徴とするシュリンクフィルム付き台紙。
【請求項２】
上記細部配置部に位置するシュリンクフィルム筒体の筒体周方向の長さ寸法が、被包装物の太部の周方向の長さ寸法より小とされている請求項１に記載のシュリンクフィルム付き台紙。
【請求項３】
上記細部配置部に位置するシュリンクフィルム筒体における上記太部配置部側の端部開口に、該端部開口の周方向の長さ寸法を被包装物の太部の周方向の長さ寸法より小にして、被包装物の太部の進入を規制する被包装物挿入向き規制手段を有し、細部配置部に位置するシュリンクフィルム筒体の内部に、被包装物の太部が配置不能となる構成を備えている請求項１または２に記載のシュリンクフィルム付き台紙。
【発明の詳細な説明】
【技術分野】
【０００１】
本発明は、熱収縮することで被包装物を包み込むシュリンクフィルム筒体が取り付けられているシュリンクフィルム付き台紙に関するものである。
【背景技術】
【０００２】
従来、小物の商品を展示販売する際に用いる台紙において、熱を加えることで筒体径方向に熱収縮して被包装物を包み込んで保持する筒状のシュリンクフィルムとこの筒状のシュリンクフィルムが取り付けられた台紙本体とを備えるシュリンクフィルム付き台紙が多く利用されている。
【０００３】
例えば特許文献１には、縦長にした台紙の上下それぞれに舌状片を切り抜き形成し、その舌状片それぞれにシュリンクフィルム筒体に通すようにしてそのシュリンクフィルム筒体を取り付けていて、上下のシュリンクフィルム筒体に一膳の箸（被包装物）を通して熱を加えることで、シュリンクフィルム筒体それぞれが収縮して舌状片とともに箸を保持するようにした商品の包装形態が示されている。
【先行技術文献】
【特許文献】
【０００４】
【特許文献１】実公昭５２−０２４２２２号公報
【発明の概要】
【発明が解決しようとする課題】
【０００５】
ところで片手で取り扱える程度の大きさとなる物品では、上述したシュリンクフィルム付き台紙を用いた包装の他に、物品の形状を大まかに模った透明な合成樹脂板と台紙とからなるブリスターパックタイプの包装を行なったものも多く流通している。このブリスターパックタイプの包装形態は、包材のコストが高くなるという難点があることから、このブリスターパックタイプの包装に代えてシュリンクフィルム付きの台紙を用いた包装が要望されている。
【０００６】
しかしながら、物品長さ方向で太い部分と細い部分とが並んで外形幅が大きく異なる物品を被包装物とする場合もあり、これを一つのシュリンクフィルム筒体を有するシュリンクフィルム付き台紙を用いて包装しようとすると、熱収縮したシュリンクフィルムに破れや大きなシワが発生するという問題がある。
【０００７】
被包装物の一例として、コンビニエンスストアやスーパーマーケットなどの文房具売り場で販売される一般的なハサミを挙げて説明する。このハサミ自体は長さ方向の中心線を間にしてほぼ対称形状であるが、指孔部に対して、ピボット部や刃部は外形幅が小さい形状である。そして、ハサミをシュリンクフィルム付き台紙を用いた包装形態にする場合、物品形状が部分的に大きく異なるので、一つのシュリンクフィルム筒体が熱収縮する際、ハサミに対するフィルムの収縮率が部分的に大きく異なることとなる。
【０００８】
具体的には従来のシュリンクフィルム付き台紙では、台紙本体の片面の一つの被包装物配置予定面の上に、一つのシュリンクフィルム筒体が取り付けられている。このシュリンクフィルム筒体は長さ方向に亘って筒体径方向の寸法が同一である。そして、この未収縮のシュリンクフィルム筒体の内部にハサミを挿入すると、シュリンクフィルム筒体に対してピボット部と刃部の外形幅（ハサミの中心線に直交する方向での幅）が小さく収縮率としては大きくなる部分と、シュリンクフィルム筒体に対してハサミの指孔部の幅が大きく収縮率としては小さくなる部分とが存在することとなる。
【０００９】
そしてシュリンクフィルム筒体を熱収縮させる際に一律に加熱することとなるが、収縮率が大きくなる部分（ピボット部、刃部）で適切な包み込みが生じるように熱を加えると、収縮率の小さくなる部分で指孔部を保持するシュリンクフィルムには過剰な引張力が生まれ、そのシュリンクフィルムに破れが生じる。
【００１０】
またシュリンクフィルムの一部分で収縮率に大きな違いがあるとシワの偏る部分が発生してしまい、包装の外観を損ねてしまう。なお、ここで収縮率とは未収縮時のシュリンクフィルム筒体の筒体周方向での長さと熱収縮して被包装物の包み込んだ部分の周方向の長さとの比を指すものとする。
【００１１】
さらに外形幅が部分的に大きく異なる形状の物品であっても台紙に安定して取り付ける必要があるため、物品の大半がシュリンクフィルムに包まれるように未収縮のシュリンクフィルム筒体の内部に物品を配置させている。そのためシュリンクフィルム筒体の使用量を削減できない。
【００１２】
そこで本発明は上記事情に鑑み、シュリンクフィルム付き台紙を用いて展示販売の形態にする被包装物が、太部とこれに連続する細部とがある形状を有するものであるときに、上述した破れやシワ付きなどを生じさせないことを課題とし、熱収縮したシュリンクフィルムで保持された被包装物の展示形態での外観を損なわないシュリンクフィルム筒体付き台紙を提供することを目的とするものである。
【課題を解決するための手段】
【００１３】
（請求項１の発明）
本発明は上記課題を考慮してなされたもので、台紙本体の片面に、太部と細部とが連続する被包装物の外形状に対応した一つの被包装物配置予定面を備えていて、前記被包装物配置予定面は、被包装物の太部に対応する太部配置部と被包装物の細部に対応する細部配置部とを有し、
前記被包装物配置予定面の太部配置部と細部配置部とのそれぞれに、筒体径方向での熱収縮により被包装物配置予定面に配置される被包装物を保持可能なシュリンクフィルム筒体が取り付けられていて、
前記太部配置部に位置するシュリンクフィルム筒体と前記細部配置部に位置するシュリンクフィルム筒体とは、互いにシュリンクフィルム筒体での筒体径方向の寸法が相違していて、太部配置部に位置するシュリンクフィルム筒体の筒体径方向の寸法が、細部配置部に位置するシュリンクフィルム筒体の筒体径方向の寸法より大とされていることを特徴とするシュリンクフィルム付き台紙を提供して、上記課題を解消するものである。
【００１４】
（請求項２の発明）
そして本発明において、上記細部配置部に位置するシュリンクフィルム筒体の筒体周方向の長さ寸法が、被包装物の太部の周方向の長さ寸法より小とされていることが良好である。
【００１５】
（請求項３の発明）
また本発明において、上記細部配置部に位置するシュリンクフィルム筒体における上記太部配置部側の端部開口に、該端部開口の周方向の長さ寸法を被包装物の太部の周方向の長さ寸法より小にして、被包装物の太部の進入を規制する被包装物挿入向き規制手段を有し、細部配置部に位置するシュリンクフィルム筒体の内部に、被包装物の太部が配置不能となる構成を備えていることが良好である。
【発明の効果】
【００１６】
（請求項１の発明の効果）
請求項１の発明によれば、台紙本体の被包装物配置予定面の太部配置部に被包装物の太部を位置させ、また細部配置部に被包装物の細部を位置させるようにしながら、被包装物をそれぞれのシュリンクフィルム筒体の内部に通し入れるという簡単な作業で、シュリンクフィルム筒体が被包装物の適所に位置することとなる。よって、ヒーターなどからの加熱処理を行なっても破れを生じさせずに熱収縮したシュリンクフィルムが被包装物を保持する包装形態が得られる。
【００１７】
また台紙本体の被包装物配置予定面の太部配置部に筒体径方向の寸法が大のシュリンクフィルム筒体が配され、細部配置部に筒体径方向の寸法が小のシュリンクフィルム筒体が配されるので、従来に比べてシュリンクフィルム筒体が被包装物の外形状に応じて合理的に使用されたものとなり、シュリンクフィルムの総使用量を削減することができる。
【００１８】
さらに熱収縮によって被包装物の太部と細部とを適切に保持する形態となるので、その被包装物をより安定して取り付けることができる台紙となるという効果がある。
【００１９】
（請求項２の発明の効果）
請求項２の発明によれば、台紙本体の被包装物配置予定面に太部と細部とが存在する被包装物をその向きを誤って配置される間違いを簡単に示唆することができるようになる。よって、被包装物の細部を保持するために用意されたシュリンクフィルム筒体の内部に被包装物の太部を挿し入れた状態のまま加熱処理を行なうという誤りを生じさせることがないという効果を奏する。
【００２０】
（請求項３の発明の効果）
請求項３の発明によれば、台紙本体の被包装物配置予定面に太部と細部とが存在する被包装物をその向きを誤って配置されるという間違いを確実に防止することができるという効果を奏する。
【図面の簡単な説明】
【００２１】
【図１】本発明に係るシュリンクフィルム付き台紙の実施の例を示す説明図である。
【図２】被包装物挿入向き規制手段を示すもので、（ａ）は被包装物を配置した状態を示す説明図、（ｂ）は被包装物の太部を（ａ）のｂ−ｂ線に沿った断面で示す説明図である。
【図３】実施の例における使用状態を示す説明図である。
【発明を実施するための形態】
【００２２】
つぎに本発明を図１から図３に示す実施の例に基づいて詳細に説明する。図中１はハサミを保持する用途とされたシュリンクフィルム付き台紙で、図１に示すようにシュリンクフィルム付き台紙１は一枚の厚紙である台紙本体２と、熱を加えることで熱収縮して内部に配置した被包装物を包み込んで保持することができるようにした二つのシュリンクフィルム筒体３、４とからなるものである。
【００２３】
（台紙本体）
上記台紙本体２は片面が被包装物を配する面であり、その片面にはハサミである被包装物５の外形状に対応して被包装物５を配置することになる被包装物配置予定面６が設けられている。また台紙本体６での被包装物配置予定面６から離れた上部などの部分は、被包装物５に関する取り扱い説明文を掲載する箇所としている。
【００２４】
上記被包装物配置予定面６には台紙本体幅方向に広がる太部取付部７があり、被包装物５の長さ方向の一方端側である太部８（この実施の例ではハサミにおける指孔部）に前記太部配置部７が対応する。また太部配置部７に連続する狭窄部分を経て台紙本体縦方向に延びる細部配置部９があり、被包装物５の長さ方向に沿う細部１０（ハサミにおけるピボット部と刃部）に細部配置部９が対応する。（図２参照）
【００２５】
（シュリンクフィルム筒体）
台紙本体２の被包装物配置予定面６の上記太部配置部７はシュリンクフィルム筒体３を取り付ける箇所としていて、この太部配置部７での被包装物配置予定面中心線位置に沿って接着剤を塗布してなる帯状の接着手段１１を設け、この接着手段１１を介してシュリンクフィルム筒体３を取り付けている。
【００２６】
また被包装物配置予定面６での上記細部配置部９はシュリンクフィルム筒体４を取り付ける箇所とされ、この細部配置部９での被包装物配置予定部中心線位置に沿って接着剤を塗布してなる帯状の接着手段１１を設け、上述と同様にこの接着手段１１を介してシュリンクフィルム筒体４を取り付けている。
【００２７】
さらに二つのシュリンクフィルム筒体３、４は連続せずに離間して配置されている。この二つのシュリンクフィルム筒体３、４の相互の配置は、シュリンクフィルム筒体３の中心線３ａの延長線と、シュリンクフィルム筒体４の中心線４ａの延長線とが平行に重なるようにした配置である。即ち、二つのシュリンクフィルム筒体３、４の中心線の位置が揃えられた状態にし、それぞれ一方の端部開口を離間させて対向させている。
【００２８】
図示されているように太部配置部７に取り付けられているシュリンクフィルム筒体３は、その筒体径方向の寸法が、太部配置部７に配置される被包装物５の太部８を挿入配置させることができて、熱収縮したときに裂けや割れを生じること無しに太部８を包み込んで保持することのできる大きさに設定されており、長さ方向の寸法も熱収縮した際にその太部８の大部分を安定して包み込みできる長さに設定されている。なお、後述するようにシュリンクフィルム筒体３、４は柔軟なシュリンクフィルムから成形されて、常時、円筒状の形態が維持されているものではなく、台紙本体２に扁平にして取り付けられている。
【００２９】
また細部配置部９に取り付けられているシュリンクフィルム筒体４は、その筒体径方向の寸法が、細部配置部９に配置される被包装物５の細部１０を挿入配置させることができて、熱収縮したときに裂けや割れを生じること無しに細部１０を包み込んで保持することのできる大きさに設定されている。そして上記シュリンクフィルム筒体３が被収納物５の太部８を安定して包み込みできる長さとされているのと同様に、長さ方向の寸法も熱収縮した際に細部１０の大部分を安定して包み込みできる長さに設定されている。（図３参照）
【００３０】
シュリンクフィルム筒体３、４それぞれは、加熱されたときの素材としての収縮の度合が同一のシュリンクフィルムを用いてなるものであることが良好である。そしてシュリンクフィルム筒体３、４は、包み込みする被包装物５の保持部位に対して無用に大きいものではなく、上述したように熱収縮したときに安定して被包装物５の包み込み部位を安定して包み込みし、収縮するフィルム表面にシワ付き無しに適切な張りを持った状態で保持できるように、筒体径方向の寸法が相互に相違している。
【００３１】
よって上記太部配置部７に位置するシュリンクフィルム筒体３の筒体径方向の寸法は、上記細部配置部９に位置するシュリンクフィルム筒体４の筒体径方向の寸法より大とされている。
【００３２】
このようにシュリンクフィルム筒体３とシュリンクフィルム筒体４とのそれぞれは、被包装物５の包み込み部位の太さに応じた筒体径方向の寸法とされているので、従来のようなシュリンクフィルムの破れやシワ付きを生じさせず、またシュリンクフィルム筒体の使用量も大きく削減することができる。
【００３３】
（被包装物挿入向き規制手段）
本実施の例においては、上記細部配置部９に位置するシュリンクフィルム筒体４は、このシュリンクフィルム筒体４での周方向の長さ寸法１２を、被包装物５の太部８の周方向の長さ寸法１３より小とされている。上述したようにシュリンクフィルム筒体３の筒体径方向の寸法が、シュリンクフィルム筒体４の筒体径方向の寸法より大としていて、シュリンクフィルム筒体３とシュリンクフィルム筒体４とを、被包装物をセットする作業者が目視するだけで、何れが太く、何れが細いかが簡単に判断でき、台紙本体２の表面に沿って被包装物を挿し入れる向きを定め易くなる。
【００３４】
なお、被包装物配置予定面６に取り付けられている未収縮の状態のシュリンクフィルム筒体３、４は、未収縮時のシュリンクフィルムが柔軟素材であることから、円筒状の形態が維持されているものではく扁平状になっている。しかし扁平なシュリンクフィルム筒体３、４を見比べることで、太いシュリンクフィルム筒体と細いシュリンクフィルム筒体との違いを判別することは容易である。
【００３５】
さらに実施の例においては、被包装物５をセットするときに誤って太部８を、シュリンクフィルム筒体４（細部１０に対応のシュリンクフィルム筒体）の内部に挿入しかけたときに、その太部８がシュリンクフィルム筒体４に入らないように阻止する被包装物挿入向き規制手段１４を有している。
【００３６】
上記被包装物挿入向き規制手段１４は、シュリンクフィルム筒体４の上記太部配置部７側に向いた端部開口１５に設けられていて、図２に示すようにこの端部開口１５の周方向での長さ寸法を、被包装物５の上記太部８での筒体周方向の長さ寸法１３より小にしてなるものである。シュリンクフィルム筒体４自体は何れの部分も筒体周方向の長さ寸法が同一であって、端部開口１５の周方向での長さ寸法はシュリンクフィルム筒体４の筒体周方向の長さ寸法１２となる。
【００３７】
そしてシュリンクフィルム筒体４の筒体周方向の長さ寸法１２が太部８の周方向の長さ寸法１３より小とすることで、シュリンクフィルム筒体４の太部配置部７側の前記端部開口１５も周方向の長さ寸法が、太部８の周方向の長さ寸法１３より小となり、この端部開口１５自体が被包装物挿入向き規制手段１４となる。
【００３８】
このようにシュリンクフィルム筒体４の上記端部開口１５を被包装物挿入向き規制手段１４としているので、被包装物５の太部８を太い上記シュリンクフィルム筒体３を通してからシュリンクフィルム筒体４の内部に挿入しようとしても、このシュリンクフィルム筒体４の内部に被包装物５の太部８が配置不能となる。よって、被包装物配置予定面６に誤った向きで被包装物５が配置されるのを確実に防止できるものとなる。
【符号の説明】
【００３９】
１…シュリンクフィルム付き台紙
２…台紙本体
３…シュリンクフィルム筒体（太）
４…シュリンクフィルム筒体（細）
５…被包装物
６…被包装物配置予定面
７…太部配置部
８…被包装物の太部
９…細部配置部
１０…被包装物の細部
１２…シュリンクフィルム筒体（細）の周方向の長さ寸法
１３…被包装物の太部の周方向の長さ寸法
１４…被包装物挿入向き規制手段
１５…端部開口
【図１】
2018002271.tif 000003
【図２】
2018002271.tif 000004
【図３】
2018002271.tif 000005